(57)【要約】【課題】通知を受ける人物がその通知を煩わしく感じてしまう可能性を、従来よりも低減し得る通知装置を提供すること。【解決手段】空気の状態に係る計測値を取得する取得部１１と、人物までの距離を計測する測距部１２と、取得部１１によって取得される計測値の第１閾値を記憶する閾値記憶部１３と、取得部１１によって計測値が取得された場合において、当該計測値が、閾値記憶部１３によって記憶される第１閾値よりも大きい場合に、当該計測値が第１閾値よりも大きい旨を示す出力を行う出力部１４とを備え、出力部１４は、その出力において、測距部１２によって計測された距離に応じて出力態様を変化させる。【選択図】図１
2018055995.tif 000002
【特許請求の範囲】
【請求項１】
空気の状態に係る計測値を取得する取得部と、
人物までの距離を計測する測距部と、
前記取得部によって取得される計測値の第１閾値を記憶する閾値記憶部と、
前記取得部によって計測値が取得された場合において、当該計測値が、前記閾値記憶部によって記憶される第１閾値を超える場合に、当該計測値が当該第１閾値を超える旨を示す出力を行う出力部とを備え、
前記出力部は、前記出力において、前記測距部によって計測された距離に応じて出力態様を変化させる
通知装置。
【請求項２】
さらに、前記測距部によって計測される距離の距離閾値を記憶する距離閾値記憶部を備え、
前記出力部は、前記測距部によって計測された距離が、前記距離閾値記憶部によって記憶される距離閾値よりも小さい場合には、発光による前記出力を行い、前記測距部によって計測された距離が、前記距離閾値記憶部によって記憶される距離閾値よりも小さくない場合には、発音による前記出力を行う
請求項１記載の通知装置。
【請求項３】
前記出力部は、前記測距部によって計測された距離が、前記距離閾値記憶部によって記憶される距離閾値よりも小さい場合には、当該距離が大きい程、輝度、輝度の揺らぎ量、又は波長の揺らぎ量が増加するように前記発光を行い、前記測距部によって計測された距離が、前記距離閾値記憶部によって記憶される距離閾値よりも小さくない場合には、当該距離が大きい程、音量、音量の揺らぎ量、又は音程の揺らぎ量が増加するように前記発音を行う
請求項２記載の通知装置。
【請求項４】
前記閾値記憶部は、さらに、前記第１閾値よりも大きな第２閾値を記憶し、
前記出力部は、前記取得部によって取得された計測値が、（１）前記第１閾値よりも大きくて、かつ、前記第２閾値よりも小さい場合に、前記出力を行い、さらに、（２）前記取得部によって取得された計測値が、前記第２閾値よりも大きい場合に、前記第１閾値よりも大きくて、かつ、前記第２閾値よりも小さい場合に行う前記出力とは異なる態様の出力を行う
請求項１〜３のいずれか１項に記載の通知装置。
【請求項５】
さらに、ユーザによる操作を受け付ける受付部を備え、
前記受付部は、前記第１閾値を更新する旨の操作を受け付けた場合に、当該操作に応じて、前記閾値記憶部に記憶される前記第１閾値を更新し、前記第２閾値を更新する旨の操作を受け付けた場合に、当該操作に応じて、前記閾値記憶部に記憶される前記第２閾値を更新する
請求項４に記載の通知装置。
【請求項６】
さらに、空気の状態に係る計測値を出力するセンサを備え、
前記取得部は、前記取得を、前記センサから出力された計測値を取得することで行う
請求項１〜５のいずれか１項に記載の通知装置。
【請求項７】
前記取得部は、外部装置と無線通信する通信部を含み、当該外部装置から送信された、空気の状態に係る計測値を、当該通信部で受信することで、前記取得を行う
請求項１〜５のいずれか１項に記載の通知装置。
【請求項８】
前記空気の状態に係る計測値は、空気中に含まれる微粒子の量を計測することで得られる値である
請求項１〜７のいずれか１項に記載の通知装置。
【請求項９】
前記空気の状態に係る計測値は、空気中に含まれる所定の気体の量を計測することで得られる値である
請求項１〜７のいずれか１項に記載の通知装置。
【請求項１０】
前記空気の状態に係る計測値は、空気の温度を計測することで得られる値である
請求項１〜７のいずれか１項に記載の通知装置。
【請求項１１】
請求項１〜１０のいずれか１項に記載の通知装置を含む照明器具。
【発明の詳細な説明】
【技術分野】
【０００１】
本発明は、空気の状態に係る通知を行う通知装置、及び照明器具に関する。
【背景技術】
【０００２】
従来、空気の状態を監視し、監視する空気の状態が所定の状態になると、その旨を通知する通知装置が知られている（例えば、特許文献１参照）。
【先行技術文献】
【特許文献】
【０００３】
【特許文献１】特開２０１５−１３５２００号公報
【発明の概要】
【発明が解決しようとする課題】
【０００４】
従来の通知装置を利用する人物は、その通知装置からの通知を煩わしく感じてしまうことがある。
【０００５】
そこで、本発明は、係る問題に鑑みてなされたものであり、通知を受ける人物がその通知を煩わしく感じてしまう可能性を、従来よりも低減し得る通知装置、及び照明器具を提供することを目的とする。
【課題を解決するための手段】
【０００６】
本発明の一態様に係る通知装置は、空気の状態に係る計測値を取得する取得部と、人物までの距離を計測する測距部と、前記取得部によって取得される計測値の第１閾値を記憶する閾値記憶部と、前記取得部によって計測値が取得された場合において、当該計測値が、前記閾値記憶部によって記憶される第１閾値を超える場合に、当該計測値が当該第１閾値を超える旨を示す出力を行う出力部とを備え、前記出力部は、前記出力において、前記測距部によって計測された距離に応じて出力態様を変化させることを特徴とする。
【０００７】
本発明の一態様に係る照明器具は、上記通知装置を含むことを特徴とする。
【発明の効果】
【０００８】
上記通知装置、及び照明器具は、その周囲にいる人物までの距離に応じた出力態様で、その人物への通知を行う。
【０００９】
このため、上記通知装置、及び照明装置によると、通知を受ける人物がその通知を煩わしく感じてしまう可能性を、従来よりも低減し得る。
【図面の簡単な説明】
【００１０】
【図１】図１は、実施の形態における通知装置の構成を示すブロック図である。
【図２】図２は、測距部が、通知装置の周囲にいる人物までの距離を計測する様子を模式的に示す斜視図である。
【図３】図３は、出力部の構成を示すブロック図である。
【図４】図４は、測距部によって計測された距離と、ＬＥＤの発光における刺激量との関係を示す図である。
【図５】図５は、測距部によって計測された距離と、スピーカの発音における刺激量との関係を示す図である。
【図６】図６は、第１通知処理のフローチャートである。
【図７】図７は、変形例における通知装置、及びセンサ装置の構成を示すブロック図である。
【図８】図８は、第２通知処理のフローチャートである。
【図９】図９は、通知装置とセンサ装置とが実際に使用される状況の一例を模式的に示す斜視図である。
【図１０】図１０は、変形例における照明器具及び空気清浄器の構造を示すブロック図である。
【発明を実施するための形態】
【００１１】
実施の形態の一態様に係る通知装置は、空気の状態に係る計測値を取得する取得部と、人物までの距離を計測する測距部と、前記取得部によって取得される計測値の第１閾値を記憶する閾値記憶部と、前記取得部によって計測値が取得された場合において、当該計測値が、前記閾値記憶部によって記憶される第１閾値を超える場合に、当該計測値が当該第１閾値を超える旨を示す出力を行う出力部とを備え、前記出力部は、前記出力において、前記測距部によって計測された距離に応じて出力態様を変化させることを特徴とする。
【００１２】
上記通知装置は、その周囲にいる人物までの距離に応じた出力態様で、その人物へ通知を行う。
【００１３】
このため、上記通知装置によると、通知を受ける人物がその通知を煩わしく感じてしまう可能性を、従来よりも低減し得る。
【００１４】
また、さらに、前記測距部によって計測される距離の距離閾値を記憶する距離閾値記憶部を備え、前記出力部は、前記測距部によって計測された距離が、前記距離閾値記憶部によって記憶される距離閾値よりも小さい場合には、発光による前記出力を行い、前記測距部によって計測された距離が、前記距離閾値記憶部によって記憶される距離閾値よりも小さくない場合には、発音による前記出力を行うとしてもよい。
【００１５】
これにより、通知を受けるべき人物が、距離閾値より離れた場所にいる場合であっても、その人物が発光を見落としてしまうことによってその通知を認知できなくなってしまう可能性を低減し得る。
【００１６】
また、前記出力部は、前記測距部によって計測された距離が、前記距離閾値記憶部によって記憶される距離閾値よりも小さい場合には、当該距離が大きい程、輝度、輝度の揺らぎ量、又は波長の揺らぎ量が増加するように前記発光を行い、前記測距部によって計測された距離が、前記距離閾値記憶部によって記憶される距離閾値よりも小さくない場合には、当該距離が大きい程、音量、音量の揺らぎ量、又は音程の揺らぎ量が増加するように前記発音を行うとしてもよい。
【００１７】
これにより、この通知装置は、その周囲にいる人物までの距離がより大きい程、刺激量をより大きくして通知を行うことができるようになる。
【００１８】
また、前記閾値記憶部は、さらに、前記第１閾値よりも大きな第２閾値を記憶し、前記出力部は、前記取得部によって取得された計測値が、（１）前記第１閾値よりも大きくて、かつ、前記第２閾値よりも小さい場合に、前記出力を行い、さらに、（２）前記取得部によって取得された計測値が、前記第２閾値よりも大きい場合に、前記第１閾値よりも大きくて、かつ、前記第２閾値よりも小さい場合に行う前記出力とは異なる態様の出力を行うとしてもよい。
【００１９】
これにより、通知を受ける人物は、その通知を受けたときに、（１）計測値が第１閾値より大きくて第２閾値よりも小さい場合と、（２）計測値が、第２閾値よりも大きい場合とを、比較的容易に区別することができるようになる。
【００２０】
また、さらに、ユーザによる操作を受け付ける受付部を備え、前記受付部は、前記第１閾値を更新する旨の操作を受け付けた場合に、当該操作に応じて、前記閾値記憶部に記憶される前記第１閾値を更新し、前記第２閾値を更新する旨の操作を受け付けた場合に、当該操作に応じて、前記閾値記憶部に記憶される前記第２閾値を更新するとしてもよい。
【００２１】
これにより、この通知装置を利用するユーザは、第１閾値と第２閾値とを、比較的容易に更新することができるようになる。
【００２２】
また、さらに、空気の状態に係る計測値を出力するセンサを備え、前記取得部は、前記取得を、前記センサから出力された計測値を取得することで行うとしてもよい。
【００２３】
これにより、この通知装置は、外部装置において計測値を出力してもらわずとも、自装置において計測値を取得することができるようになる。
【００２４】
また、前記取得部は、外部装置と無線通信する通信部を含み、当該外部装置から送信された、空気の状態に係る計測値を、当該通信部で受信することで、前記取得を行うとしてもよい。
【００２５】
これにより、この通知装置は、自装置において計測値を出力せずとも、外部装置から送信された計測値を取得することができるようになる。
【００２６】
また、前記空気の状態に係る計測値は、空気中に含まれる微粒子の量を計測することで得られる値であるとしてもよい。
【００２７】
これにより、この通知装置は、空気中に含まれる微粒子の濃度についての通知を行うことができるようになる。
【００２８】
また、前記空気の状態に係る計測値は、空気中に含まれる所定の気体の量を計測することで得られる値であるとしてもよい。
【００２９】
これにより、この通知装置は、空気中に含まれる所定の気体の量についての通知を行うことができるようになる。
【００３０】
また、前記空気の状態に係る計測値は、空気の温度を計測することで得られる値であるとしてもよい。
【００３１】
これにより、この通知装置は、空気の温度についての通知を行うことができるようになる。
【００３２】
実施の形態の一態様に係る照明器具は、上記通知装置を含むことを特徴とする。
【００３３】
上記照明器具は、その周囲にいる人物までの距離に応じた出力態様で、その人物へ通知を行う。
【００３４】
このため、上記照明器具によると、通知を受ける人物がその通知を煩わしく感じてしまう可能性を、従来よりも低減し得る。
【００３５】
以下、本発明の一態様に係る通知装置の具体例について、図面を用いて説明する。なお、以下に説明する実施の形態は、いずれも本発明における好ましい一具体例を示すものである。従って、以下の実施の形態で示される、数値、形状、材料、構成要素、構成要素の配置位置および接続形態、工程、並びに、工程の順序等は、一例であって本発明を限定する主旨ではない。よって、以下の実施の形態における構成要素のうち、本発明における最上位概念を示す独立請求項に記載されていない構成要素については、任意の構成要素として説明される。
【００３６】
なお、各図は、模式図であり、必ずしも厳密に図示されたものではない。また、各図において、実質的に同一の構成に対しては同一の符号を付しており、重複する説明は省略又は簡略化する。
【００３７】
（実施の形態）
ここでは、本発明の一態様として、空気中に含まれる微粒子の濃度の計測値を取得し、取得した微粒子の濃度の計測値が所定値を超える場合に、その旨の通知を行う通知装置について説明する。
【００３８】
この通知装置は、その周囲にいる人物までの距離を計測する。そして、通知を行う場合には、計測した人物までの距離に応じた出力態様で、その通知を行う。
【００３９】
以下、この通知装置の詳細について、図面を参照しながら説明する。
【００４０】
［１−１．構成］
図１は、実施の形態における通知装置１の構成を示すブロック図である。
【００４１】
同図に示されるように、通知装置１は、取得部１１と、測距部１２と、閾値記憶部１３と、出力部１４と、距離閾値記憶部１５と、センサ１６と、受付部１７とを含んで構成される。
【００４２】
センサ１６は、空気の状態に係る計測値を出力する。ここでは、このセンサ１６は、空気中の微粒子であるＰＭ２．５の濃度を計測して出力する空気質センサであるとして説明する。
【００４３】
取得部１１は、空気の状態に係る計測値を取得する。より具体的には、取得部１１は、センサ１６から出力された計測値であるＰＭ２．５の濃度を取得する。
【００４４】
一例として、取得部１１は、通知装置１を構成するメモリ（図示せず）に記憶されるプログラムを、通知装置１を構成するマイクロプロセッサ（図示せず）が実行することで実現される。
【００４５】
測距部１２は、人物までの距離を計測する。より具体的には、測距部１２は、周囲にいる人物までの距離を計測する測距モジュール（例えば、赤外線を用いて距離を計測する赤外線測距モジュール）を含み、その測距モジュールを用いて、人物までの距離を計測する。
【００４６】
なお、測距部１２は、人物までの距離の計測を試みた場合において、人物までの距離を計測できなかったときには、測距可能な範囲に人物が存在しないと判定し、測距結果として、測距可能な最大値（例えば１０ｍ）を出力する。
【００４７】
一例として、測距部１２は、上記測距モジュールを含み、通知装置１を構成するメモリ（図示せず）に記憶されるプログラムを、通知装置１を構成するマイクロプロセッサ（図示せず）が実行して、その測距モジュールを制御することで実現される。
【００４８】
図２は、測距部１２が、通知装置１の周囲にいる人物までの距離ｘを計測する様子を模式的に示す斜視図である。
【００４９】
閾値記憶部１３は、取得部１１によって取得される計測値の第１閾値を記憶する。また、閾値記憶部１３は、第１閾値よりも大きな第２閾値を記憶する。
【００５０】
一例として、閾値記憶部１３は、通知装置１を構成するメモリ（図示せず）に記憶されるプログラムを、通知装置１を構成するマイクロプロセッサ（図示せず）が実行することで実現される。
【００５１】
ここでは、例えば、第１閾値として３５μｇ／ｃｍ３（ＰＭ２．５の濃度）が記憶され、第２閾値として、７０μｇ／ｃｍ３（ＰＭ２．５の濃度）が記憶されているとして説明する。
【００５２】
距離閾値記憶部１５は、測距部１２によって計測される距離の距離閾値を記憶する。一例として、距離閾値記憶部１５は、通知装置１を構成するメモリ（図示せず）に記憶されるプログラムを、通知装置１を構成するマイクロプロセッサ（図示せず）が実行することで実現される。
【００５３】
ここは、例えば、距離閾値として、５ｍ（人物までの距離）が記憶されているとして説明する。
【００５４】
受付部１７は、ユーザによる操作を受け付ける。そして、受付部１７は、第１閾値を更新する旨の操作を受け付けた場合に、当該操作に応じて、閾値記憶部１３に記憶される第１閾値を更新する。また、受付部１７は、第２閾値を更新する旨の操作を受け付けた場合に、当該操作に応じて、閾値記憶部１３に記憶される第２閾値を更新する。さらに、受付部１７は、距離閾値を更新する旨の操作を受け付けた場合に、当該操作に応じて、距離閾値記憶部１５に記憶される距離閾値を更新する。
【００５５】
一例として、受付部１７は、タッチパネルを含み、通知装置１を構成するメモリ（図示せず）に記憶されるプログラムを、通知装置１を構成するマイクロプロセッサ（図示せず）が実行して、そのタッチパネルを制御することで実現される。
【００５６】
出力部１４は、取得部１１によって計測値が取得された場合において、その計測値が、閾値記憶部１３によって記憶される第１閾値を超える場合に、その計測値がその第１閾値を超える旨を示す出力を行う。
【００５７】
図３は、出力部１４の構成を示すブロック図である。
【００５８】
同図に示されるように、出力部１４は、制御部２１と、ＬＥＤ（Light Emitting Diode）２２と、スピーカ２３とを含んで構成される。
【００５９】
制御部２１は、取得部１１と、測距部１２と、閾値記憶部１３と、距離閾値記憶部１５とに接続され、ＬＥＤ２２と、スピーカ２３とを制御する。
【００６０】
制御部２１は、測距部１２によって計測された距離が、距離閾値記憶部１５によって記憶される距離閾値よりも小さい場合には、ＬＥＤ２２を制御して、出力部１４に、発光による出力を行わせる。より具体的には、測距部１２によって計測された距離が、距離閾値記憶部１５によって記憶される距離閾値よりも小さい場合には、その距離が大きい程、輝度、輝度の揺らぎ量、又は波長の揺らぎ量が増加するようにＬＥＤ２２の発光を制御する。
【００６１】
距離が大きい程輝度が増加するとは、距離の増加に応じて、直線的（一次関数的）に輝度を増加させる、又は距離の増加に応じて、階段状（ステップ関数的）に輝度を増加させることをいう。初期状態（取得部１１によって取得された計測値が、第１閾値よりも大きくなる直前のＬＥＤ２２の点灯状態）においてＬＥＤ２２が点灯していない場合には、輝度０を基準輝度として、予め定められた色の光（例えば、白色光）を用いて上記制御を行う。ここで、基準輝度とは、測距部１２によって計測された距離が０である場合においてＬＥＤ２２を点灯させるときの輝度のことをいう。また、初期状態においてＬＥＤ２２が点灯している場合には、その点灯状態における輝度を基準輝度として、その点灯状態における光を用いて上記制御を行う。
【００６２】
距離が大きい程輝度の揺らぎ量が増加するとは、距離の増加に応じて、直線的に輝度の揺らぎ量を増加させる、又は距離の増加に応じて、階段状に輝度の揺らぎ量を増加させることをいう。初期状態においてＬＥＤ２２が点灯していない場合には、予め、輝度と色とが定められた光（例えば、白色色）を基準光として用いて上記制御を行う。ここで、基準光とは、測距部１２によって計測された距離が０である場合においてＬＥＤ２２を点灯させるときの光のことをいう。また、初期状態においてＬＥＤ２２が点灯している場合には、その点灯状態における輝度と色との光を基準光として用いて上記制御を行う。
【００６３】
距離が大きい程波長の揺らぎ量が増加するとは、距離の増加に応じて、直線的に波長の揺らぎ量を増加させる、又は距離の増加に応じて、階段状に波長の揺らぎ量を増加させることをいう。初期状態においてＬＥＤ２２が点灯していない場合には、予め、輝度と色とが定められた光（例えば、緑色の単色光）を基準光として用いて上記制御を行う。また、初期状態においてＬＥＤ２２が点灯している場合には、その点灯状態における輝度と色との光を基準光として用いて上記制御を行う。
【００６４】
図４は、測距部１２によって計測された距離と、ＬＥＤ２２の発光における輝度、輝度の揺らぎ量、又は波長の揺らぎ量（以下、これらの量のことを「刺激量」とも呼ぶ。）との関係を示す図である。ここでは、例えば、距離閾値である５ｍよりも小さい距離の場合に、刺激量Ｐ１は、距離に対して傾きａで比例し、距離閾値である５ｍより大きい距離の場合に、刺激量Ｐ１は０となっている。
【００６５】
また、制御部２１は、測距部１２によって計測された距離が、距離閾値記憶部１５によって記憶される距離閾値よりも小さくない場合には、スピーカ２３を制御して、出力部１４に、発音による出力を行わせる。より具体的には、測距部１２によって計測された距離が、距離閾値記憶部１５によって記憶される距離閾値よりも小さくない場合には、その距離が大きい程、音量、音量の揺らぎ量、又は音程の揺らぎ量が増加するようにスピーカ２３の発音を制御する。
【００６６】
距離が大きい程音量が増加するとは、距離の増加に応じて、直線的に音量を増加させる、又は距離の増加に応じて、階段状に音量を増加させることをいう。初期状態においてスピーカ２３が発音していない場合には、音量０を基準音量として、予め定められた音を用いて上記制御を行う。ここで、基準音量とは、測距部１２によって計測された距離が０である場合においてスピーカ２３を発音させるときの音量のことをいう。また、初期状態においてスピーカ２３が発音している場合には、その発音状態における音量を基準音量として、その発音状態における音を用いて上記制御を行う。
【００６７】
距離が大きい程音量の揺らぎ量が増加するとは、距離の増加に応じて、直線的に音量の揺らぎ量を増加させる、又は距離の増加に応じて、階段状に音量の揺らぎ量を増加させることをいう。初期状態においてスピーカ２３が発音していない場合には、予め、音量と音程とが定められた音を基準音として用いて上記制御を行う。ここで、基準音とは、測距部１２によって計測された距離が０である場合においてスピーカ２３を発音させるときの音のことをいう。また、初期状態においてスピーカ２３が発音している場合には、その発音状態における音量と音程との音を基準音として用いて上記制御を行う。
【００６８】
距離が大きい程音程の揺らぎ量が増加するとは、距離の増加に応じて、直線的に音程の揺らぎ量を増加させる、又は距離の増加に応じて、階段状に音程の揺らぎ量を増加させることをいう。初期状態においてスピーカ２３が発音していない場合には、予め、音量と音程とが定められた音を基準音として用いて上記制御を行う。また、初期状態においてスピーカ２３が発音している場合には、その発音状態における音量と音程との音を基準音として用いて上記制御を行う。
【００６９】
図５は、測距部１２によって計測された距離と、スピーカ２３の発音における音量、音量の揺らぎ量、又は音程の揺らぎ量（以下、これらの量のことも「刺激量」とも呼ぶ。）との関係を示す図である。ここでは、例えば、距離閾値である５ｍよりも小さい距離の場合に、刺激量Ｐ２は０となり、距離閾値である５ｍより大きい距離の場合に、刺激量Ｐ２は、距離に対して傾きａで比例している。
【００７０】
さらに、制御部２１は、スピーカ２３とＬＥＤ２２とを制御して、出力部１４に、取得部１１によって取得された計測値が、第２閾値よりも小さい場合と大きい場合とで、互いに異なる態様で、発光又は発音を行わせる。すなわち、出力部１４は、取得部１１によって取得された計測値が、第１閾値よりも大きくて、かつ、第２閾値よりも小さい場合に、上述した態様の出力を行う。その一方で、出力部１４は、取得部１１によって取得された計測値が、第２閾値よりも大きい場合に、上述した態様とは異なる態様の出力を行う。ここでは、この異なる態様の出力が、例えば、ＬＥＤ２２を用いて、その最大の輝度で所定の白色光を発光すると共に、スピーカ２３を用いて、その最大の音量で所定の音を発音する態様の出力であるとして説明する。
【００７１】
一例として、制御部２１は、通知装置１を構成するメモリ（図示せず）に記憶されるプログラムを、通知装置１を構成するマイクロプロセッサ（図示せず）が実行することで実現される。
【００７２】
上記構成の通知装置１が行う動作について、以下、図面を参照しながら説明する。
【００７３】
［１−２．動作］
通知装置１は、その特徴的な動作として、第１通知処理を行う。
【００７４】
この第１通知処理は、空気中に含まれる微粒子の濃度の計測値を取得し、取得した微粒子の濃度の計測値が所定の閾値を超える場合に、その旨の通知を行う処理である。
【００７５】
図６は、第１通知処理のフローチャートである。
【００７６】
この第１通知処理は、通知装置１のユーザによってなされる、第１通知処理を開始する旨の所定の操作が、受付部１７によって受け付けられることによって開始される。
【００７７】
第１通知処理が開始されると、センサ１６は、空気中のＰＭ２．５の濃度（空気質）を計測して出力する（ステップＳ１０）。以後、センサ１６は、所定時間（例えば、１分）経過する毎に、空気中のＰＭ２．５の濃度を計測して出力する。
【００７８】
ＰＭ２．５の濃度が計測されると、取得部１１は、センサ１６から出力された計測値であるＰＭ２．５の濃度を取得する（ステップＳ２０）。
【００７９】
計測値であるＰＭ２．５の濃度が取得されると、出力部１４は、取得されたＰＭ２．５の濃度が、閾値記憶部によって記憶される第１閾値である３５μｇ／ｃｍ３より大きいか否かを判定する（ステップＳ３０）。
【００８０】
ステップＳ３０の処理において肯定的に判定された場合に（ステップＳ３０：Ｙｅｓ）、出力部１４は、取得されたＰＭ２．５の濃度が、閾値記憶部によって記憶される第２閾値である７０μｇ／ｃｍ３より大きいか否かを調べる（ステップＳ４０）。
【００８１】
ステップＳ４０の処理において否定的に判定された場合に（ステップＳ４０：Ｎｏ）、測距部１２は、周囲にいる人物までの距離を計測する（ステップＳ５０）。
【００８２】
人物までの距離が計測されると、出力部１４は、計測された距離が、距離閾値記憶部１５によって記憶される距離閾値である５ｍより小さいか否かを調べる（ステップＳ６０）。
【００８３】
ステップＳ６０の処理において肯定的に判定された場合に（ステップＳ６０：Ｙｅｓ）、出力部１４は、ＬＥＤ２２を用いて、計測された距離に応じて発光する（ステップＳ７０）。すなわち、出力部１４は、計測された距離に応じて、計測された距離が大きい程、輝度、輝度の揺らぎ量、又は波長の揺らぎ量が増加するように発光する。
【００８４】
ステップＳ６０の処理において肯定的に判定されなかった場合に（ステップＳ６０：Ｎｏ）、出力部１４は、スピーカ２３を用いて、計測された距離に応じて発音する（ステップＳ８０）。すなわち、出力部１４は、計測された距離に応じて、計測された距離が大きい程、音量、音量の揺らぎ量、又は音程の揺らぎ量が増加するように発音する。
【００８５】
ステップＳ４０の処理おいて肯定的に判定された場合に（ステップＳ４０：Ｙｅｓ）、出力部１４は、ＬＥＤ２２とスピーカ２３とを用いて、最大の輝度で所定の白色光を発光し、最大の音量で所定の音を発音する（ステップＳ９０）。
【００８６】
ステップＳ３０の処理おいて否定的に判定された場合と（ステップＳ３０：Ｎｏ）、ステップＳ７０の処理が終了した場合と、ステップＳ８０の処理が終了した場合と、ステップＳ９０の処理が終了した場合に、ステップＳ１００の処理へ進む。すなわち、取得部１１は、前回、センサ１６から計測値が出力されてから所定時間経過したか否かを判定する（ステップＳ１００）。
【００８７】
所定時間が経過すると（ステップＳ１００：Ｎｏの処理を繰り返した後にステップＳ１００：Ｙｅｓの処理を行う）、通知装置１は、ステップＳ１０の処理に進み、ステップＳ１０以降の処理を繰り返す。
【００８８】
［１−３．効果等］
上記通知装置１は、計測された計測値が第１閾値を超える場合に、周囲にいる人物までの距離に応じた出力態様で、その人物への通知を行う。このため、この通知装置１によると、通知を受ける人物がその通知を煩わしく感じてしまう可能性を、従来よりも低減し得る。
【００８９】
また、この通知装置１は、周囲にいる人物までの距離が距離閾値よりも大きくなると、距離閾値よりも小さい場合に行う発光による通知に替えて、発音による通知を行うようになる。このため、通知を受けるべき人物が、距離閾値より離れた場所にいる場合であっても、その人物が発光を見落としてしまうことによってその通知が認知されなくなってしまう可能性を低減し得る。
【００９０】
特に、通知装置１が部屋に設置されている場合において、通知を受けるべき人物がその部屋の外にいるとき（すなわち、距離閾値より離れた場所にいるとき）には、発音による通知は、発光による通知よりも有効である。
【００９１】
（変形例）
ここでは、本発明の一態様として、実施の形態における通知装置１から、その構成の一部が変更された、変形例における通知装置について説明する。
【００９２】
実施の形態における通知装置１は、空気の状態に係る計測値を計測するセンサ１６を内蔵する構成の例であった。これに対して、変形例における通知装置は、空気の状態に係る計測値を計測するセンサを内蔵しない構成の例となっている。
【００９３】
以下、この通知装置の詳細について、実施の形態における通知装置１との相違点を中心に、図面を参照しながら説明する。
【００９４】
［２−１．構成］
図７は、変形例における通知装置２の構成、及び通知装置２の外部装置であるセンサ装置３の構成を示すブロック図である。
【００９５】
同図に示されるように、通知装置２は、実施の形態における通知装置１から、センサ１６が削除され、取得部１１が取得部１１１となるように変更されている。そして、センサ装置３は、その削除されたセンサ１６と通信部１１３とを含んで構成される。
【００９６】
通信部１１３は、センサ１６に有線接続され、通知装置２の取得部１１１（後述）に含まれる通信部１１２（後述）と無線通信する。
【００９７】
一例として、通信部１１３は、無線通信器を含み、センサ装置３を構成するメモリ（図示せず）に記憶されるプログラムを、センサ装置３を構成するマイクロプロセッサ（図示せず）が実行して、その無線通信器を制御することで実現される。
【００９８】
取得部１１１は、通信部１１２を含んで構成される。
【００９９】
通信部１１２は、通信部１１３と無線通信する。一例として、通信部１１２は、無線通信器を含み、通知装置２を構成するメモリ（図示せず）に記憶されるプログラムを、通知装置２を構成するマイクロプロセッサ（図示せず）が実行して、その無線通信器を制御することで実現される。
【０１００】
そして、取得部１１１は、センサ装置３の通信部１１３から送信された、空気の状態に係る計測値を、通信部１１２で受信することで、空気の状態に係る計測値の取得を行う。
【０１０１】
上記構成の通知装置２が行う動作について、以下、図面を参照しながら説明する。
【０１０２】
［２−２．動作］
通知装置２は、その特徴的な動作として、センサ装置３と共同で、実施の形態における第１通知処理からその一部の処理が変更された第２通知処理を行う。
【０１０３】
図８は、第２通知処理のフローチャートである。
【０１０４】
同図に示されるように、第２通知処理は、実施の形態における第１通知処理から、ステップＳ１０〜ステップＳ２０の処理が削除され、替わりに、ステップＳ２１０〜ステップＳ２４０の処理が追加された処理となっている。従って、ここでは、ステップＳ２１０〜ステップＳ２４０の処理を中心に説明する。
【０１０５】
この第２通知処理は、通知装置２のユーザによってなされる、第２通知処理を開始する旨の所定の操作が受付部１７によって受け付けられることによって開始される。
【０１０６】
第２通知処理が開始されると、取得部１１１は、無線通信を利用して、通信部１１３に対して、第２通知処理が開始された旨を示す開始信号を送信する（ステップＳ２１０）。
【０１０７】
開始信号が送信されると、通信部１１３は、その開始信号を受信する。そして、通信部１１３に接続されるセンサ１６は、空気中のＰＭ２．５の濃度を計測して出力する（ステップＳ２２０）。以後、センサ１６は、所定時間（例えば、１分）経過する毎に、空気中のＰＭ２．５の濃度を計測して出力する。
【０１０８】
ＰＭ２．５の濃度が出力されると、通信部１１３は、無線通信を利用して、取得部１１１に対して、その出力された計測値を送信する（ステップＳ２３０）。
【０１０９】
計測値が送信されると、取得部１１１は、送信された計測値を受信することで、センサ１６によって計測された計測値であるＰＭ２．５の濃度を取得する（ステップＳ２４０）。
【０１１０】
ステップＳ２４０の処理が終了すると、通知装置２は、ステップＳ３０の処理に進み、ステップＳ３０以降の処理を実行する。そして、ステップＳ１００の処理において、所定時間経過すると（ステップＳ１００：Ｙｅｓ）、センサ装置３は、ステップＳ２２０の処理に進み、ステップＳ２２０以降の処理を繰り返す。
【０１１１】
［２−３．効果等］
上記通知装置２は、無線通信を利用して、物理的に離れた場所に配置されたセンサ装置３によって計測された計測値を取得する。このため、この通知装置２によると、計測値を計測する必要がある場所とは異なる場所に通知装置２を配置しながらも、その計測する必要がある場所において計測された計測値に基づく通知を行うことができるようになる。
【０１１２】
図９は、通知装置２とセンサ装置３とが実際に使用される状況の一例を模式的に示す斜視図である。
【０１１３】
同図において、通知装置２は、部屋の中心付近に備えられた机の上に配置され、センサ装置３は、部屋の出窓付近に配置されている。このように、通知装置２を、その部屋を利用する人物がよくいる場所の近傍にある机の上に配置しつつ、センサ装置３を、ＰＭ２．５の濃度を監視する必要がある出窓付近に配置する等といった運用が可能となる。
【０１１４】
また、通知装置２とセンサ装置３とのそれぞれが、互いに異なる機器に内蔵される構成の例も考えられる。
【０１１５】
図１０は、通知装置２を内蔵する照明器具４の構造、及びセンサ装置３を内蔵する空気清浄器５の構造を示すブロック図である。
【０１１６】
例えば、このような構成にすることで、通知装置２のＬＥＤ２２を、照明器具４の発光体と兼用して利用し、センサ装置３のセンサ１６を、空気清浄器５の空気質センサと兼用して利用することが可能となる。
【０１１７】
（他の実施の形態）
以上のように、本出願において開示する技術の例示として、実施の形態及び変形例について説明した。しかしながら本開示における技術は、これらに限定されず、適宜、変更、置き換え、付加、省略等を行った実施の形態にも適用可能である。
【０１１８】
（１）実施の形態において、センサ１６は、空気中の微粒子であるＰＭ２．５の濃度を計測するとして説明した。しかしながら、センサ１６は、空気に係る計測値を計測することができれば、必ずしも、空気中の微粒子であるＰＭ２．５の濃度を計測する例に限られない。例えば、センサ１６は、空気中の花粉の濃度を計測するとしても構わないし、空気中の所定の気体（例えば、一酸化炭素、二酸化炭素、都市ガス等）の濃度を計測するとしても構わないし、空気の温度を計測するとしても構わないし、空気の湿度を計測するとしても構わない。
【０１１９】
（２）実施の形態において、測距部１２は、赤外線モジュールを含み、その赤外線モジュールを用いて人物までの距離を計測するとして説明した。しかしながら、測距部１２は、人物までの距離を計測することができれば、必ずしも、赤外線モジュールを用いて人物までの距離を計測する例に限られない。例えば、測距部１２は、カメラと画像認識装置とを含み、そのカメラで撮像した画像をその画像認識装置が画像認識処理することで、人物までの距離を計測するとしても構わない。さらには、例えば、対象とする人物が所有するビーコンから所定の送信電力強度で送信されるビーコン波の受信電力強度を計測することで、その人物までの距離を計測するとしても構わない。
【０１２０】
（３）実施の形態において、出力部１４は、測距部１２によって計測された距離が、距離閾値よりも小さい場合には、その距離が大きい程、輝度、輝度の揺らぎ量、又は波長の揺らぎ量が増加するように発光を制御するとして説明した。しかしながら、出力部１４は、測距部１２によって計測された距離がより大きい程、通知対象となる人物への刺激量がより大きくなるように発光を制御すれば、必ずしも、実施の形態に記載された通りに発光を制御する必要はない。例えば、出力部１４は、測距部１２によって計測された距離が大きい程、点滅する点滅速度が速くなるように発光を制御するとしても構わない。
【０１２１】
また、実施の形態において、出力部１４は、測距部１２によって計測された距離が、距離閾値よりも小さくない場合には、その距離が大きい程、音量、音量の揺らぎ量、又は音程の揺らぎ量が増加するように発音を制御するとして説明した。しかしながら、出力部１４は、測距部１２によって計測された距離がより大きい程、通知対象となる人物への刺激量がより大きくなるように発音を制御すれば、必ずしも、実施の形態に記載された通りに発音を制御する必要はない。例えば、出力部１４は、測距部１２によって計測された距離が大きい程、所定の音楽のリズムが速くなるように発音を制御するとしても構わない。
【０１２２】
（４）実施の形態において、出力部１４は、測距部１２によって計測された距離が大きい程、刺激量がより大きくなるように、発光の制御、及び発音の制御を行うとして説明した。しかしながら、出力部１４は、上記実施の形態に記載された通りの発行の制御、及び発音の制御を行う構成の例に限られない。一例として、出力部１４は、測距部１２によって計測された距離が、距離閾値よりも小さい場合には、その距離に関係なく一定の刺激量となるように発光の制御を行う。そして、出力部１４は、測距部１２によって計測された距離が、距離閾値よりも小さくない場合には、その距離が大きい程、刺激量がより大きくなるように発音の制御を行うという構成の例が考えられる。また、他の一例として、出力部１４は、測距部１２によって計測された距離が、距離閾値よりも小さい場合には、その距離が大きい程、刺激量がより大きくなるように発光の制御を行う。そして、出力部１４は、測距部１２によって計測された距離が、距離閾値よりも小さくない場合には、その距離に関係なく一定の刺激量となるように発音の制御を行うという構成の例も考えられる。さらには、他の一例として、出力部１４は、測距部１２によって計測された距離が、距離閾値よりも小さい場合には、その距離に関係なく一定の刺激量となるように発光の制御を行う。そして、出力部１４は、測距部１２によって計測された距離が、距離閾値よりも小さくない場合には、その距離に関係なく一定の刺激量となるように発音の制御を行うという構成の例も考えらえる。
【符号の説明】
【０１２３】
１、２  通知装置
３  センサ装置
４  照明器具
５  空気清浄器
１１、１１１  取得部
１２  測距部
１３  閾値記憶部
１４  出力部
１５  距離閾値記憶部
１６  センサ
１７  受付部
【図１】
2018055995.tif 000003
【図２】
2018055995.tif 000004
【図３】
2018055995.tif 000005
【図４】
2018055995.tif 000006
【図５】
2018055995.tif 000007
【図６】
2018055995.tif 000008
【図７】
2018055995.tif 000009
【図８】
2018055995.tif 000010
【図９】
2018055995.tif 000011
【図１０】
2018055995.tif 000012